(57)【要約】      （修正有）【課題】照明装置の下部だけでなく、照明装置の正面方向を照らすと共に、反射板に代えて導光板を用いることで、広範囲に光を照射すると共に、優れた美観を演出することができる照明装置を提供する。【解決手段】入射端面から入射された光が主に導光部材４０に設けられた複数の拡散ドットで拡散されることにより、光が第一平面部、湾曲部及び第二平面部から照射されることになり、前面側から下斜め後方向に至る広い範囲に光を照射することができる。こうすることにより、前面側への直接照明としての役割と後方の壁面等に反射した光による間接照明としての役割との両方の役割を一つの照明装置２０で果たすことができる。このとき、湾曲部によって第一平面部と第二平面部とが滑らかに連接されているため、連続的に柔らかな印象を有する光を照射することができ、優れた美観を与えることができる。【選択図】図１
2014207168.tif 000002
【特許請求の範囲】
【請求項１】
前面側から収納物の出し入れが可能な収納部の下方に設けられる照明装置であって、
前記収納部の下面に取り付け可能な本体部と、
前記本体部に取り付けられた複数の光源と、
前記本体部に取り付けられ、入射端面から入射した前記光源から照射された光を一方主面に設けられた複数の拡散ドット又は拡散凸部で拡散し、出射する導光部材と、
を備え、
前記導光部材は、前記光を前面方向に拡散し、出射する第一平面部と、前記第一平面部の下方向から後方向に湾曲する湾曲部と、前記光を下方向又は下斜め後方向に拡散し、出射する第二平面部と、を有することを特徴とする、
照明装置。
【請求項２】
前記第二平面部は、前記第一平面部の方向に湾曲して延出する延出部を有し、
前記本体部は、前記延出部を下方から支持する支持面を有し、
前記導光部材は、前記延出部の主面が前記支持面によって支持されることにより前記本体部に取り付けられることを特徴とする、
請求項１に記載の照明装置。
【請求項３】
前記第一平面部の端面は、前記収納部の下面よりも上方に位置することを特徴とする、
請求項１又は２に記載の照明装置。
【請求項４】
前記導光部材の前記入射端面と反対側の端面は、少なくとも一部が前記収納部の方向を向いていることを特徴とする、
請求項１〜３のいずれか１項に記載の照明装置。
【請求項５】
前記第一平面部は、一方端側が前記一方主面側に湾曲していることを特徴とする、
請求項１〜３のいずれか１項に記載の照明装置。
【請求項６】
複数の前記光源は、前記導光部材の両端面とそれぞれ対向する位置に配置されていることを特徴とする、
請求項１〜５のいずれか１項に記載の照明装置。
【請求項７】
請求項１〜６のいずれか１項に記載の照明装置であって、
前記本体部及び前記導光部材の側面を覆う金属製の側面部材と、
を備え、
前記本体部と前記側面部材とが当接していることを特徴とする、
照明装置。
【請求項８】
前記光源は、平面発光型の発光ダイオードであることを特徴とする、
請求項１〜７のいずれか１項に記載の照明装置。
【発明の詳細な説明】
【技術分野】
【０００１】
本発明は、照明装置に関する。
【背景技術】
【０００２】
従来、下方を照らすことのできる様々な種類の照明装置が知られている。例えば、特許文献１には、板状部材の端部下面側に光源ユニットを配置し、この光源ユニットからの光を間接光として下方に照射するための反射板を備える筒状のブラケットを板状部材の端部によってビスで固定した照明装置が記載されている。この照明装置では、光源ユニットで発光した光を筒状のブラケットに備えられた反射板で反射することで、光源ユニットの発光面を前方に向けることなく、板状部材の端部下方に照射することができる。
【先行技術文献】
【特許文献】
【０００３】
【特許文献１】特開２０１２−３８６０４号公報
【発明の概要】
【発明が解決しようとする課題】
【０００４】
しかしながら、こうした照明装置では、反射板で光源からの光を反射することにより、下部を照らすことはできるが、正面部を照らすことができないという課題がある。また、光が反射される方向が一方向に限定されるため、光を多方向に照射したり、光の照射方向により美観を演出したりすることができないという課題がある。更に、反射板で光源からの光を反射するため、反射板により美観が損なわれるという課題がある。
【０００５】
本発明は、このような課題に鑑みなされたものであり、照明装置の下部だけでなく、照明装置の正面方向を照らすと共に、反射板に代えて導光板を用いることで、広範囲に光を照射すると共に、優れた美観を演出することができる照明装置を提供することを主目的とする。
【課題を解決するための手段】
【０００６】
本発明は、上述の主目的を達成するために以下の手段を採った。
【０００７】
本発明の照明装置は、
前面側から収納物の出し入れが可能な収納部の下方に設けられる照明装置であって、
前記収納部の下面に取り付け可能な本体部と、
前記本体部に取り付けられた複数の光源と、
前記本体部に取り付けられ、入射端面から入射した前記光源から照射された光を一方主面に設けられた複数の拡散ドット又は拡散凸部で拡散し、出射する導光部材と、
を備え、
前記導光部材は、前記光を前面方向に拡散し、出射する第一平面部と、前記第一平面部の下方向から後方向に湾曲する湾曲部と、前記光を下方向又は下斜め後方向に拡散し、出射する第二平面部と、を有することを特徴とするものである。
【０００８】
この照明装置では、導光部材の入射端面から入射された光が導光部材に設けられた複数の拡散ドット又は拡散凸部で拡散されることにより光が主面の他方主面側に導光され、他方主面から出射される。このとき、導光部材は、他方主面側が前面方向を向いていることで入射した光を前面方向に拡散し、出射する第一平面部と、他方主面側が下方向又は下斜め後方向に向いていることで入射した光を下方向又は下斜め後方向に拡散し、出射する第二平面部とを有しているため、導光部材から出射される光は、前面方向と下又は下斜め後方向の幅広い方向に出射されることになり、前面方向と下斜め後方向の両方を照らすことができる。こうすることにより、前面方向から下斜め後方向にかけての広い範囲に光を照らすことができる。また、照明装置が取り付けられている収納部の後方が壁面である場合には、前面方向に照らされる光が直接照明としての機能を有し、下斜め後方向に照らされる光が壁面に反射して間接照明としての機能を有することにより、直接照明と間接照明との両方の機能を有することができる。更に、第一平面部と第二平面部との間には湾曲した湾曲部を有しているため、湾曲部の湾曲面の形状に光を出射することができ、優れた美観を与えることができる。このように湾曲部を設けることにより、例えば、第一平面部と第二平面部との間が鋭角である場合には、この鋭角部に光の強い線や鋭角方向に出射される強い光（グレア）が生じる可能性があるが、湾曲部を設けることにより、このような可能性を未然に低減することができる。加えて、この湾曲部の湾曲する角度を緩やかにしたり急にしたりすることによって光により演出される美観を所望のものに変更することができる。言い換えると、演出される美観の自由度を増加させることができる。
【０００９】
本発明の照明装置において、前記第二平面部は、前記第一平面部の方向に湾曲して延出する延出部を有し、前記本体部は、前記延出部を下方から支持する支持面を有し、前記導光部材は、前記延出部の主面が前記支持面によって支持されることにより前記本体部に取り付けられることを特徴としてもよい。こうすれば、本体部に設けられた支持面の上に延出部を配置するという簡単な動作で、導光部材を本体部の所望の位置に位置決めすることができる。言い換えると、導光部材を本体部に取り付ける際の労力を低減することができる。
【００１０】
本発明の照明装置において、前記第一平面部の端面は、前記収納部の下面よりも上方に位置することを特徴としてもよい。こうすれば、第一平面部の主面の少なくとも一部は収納部の下面よりも上方に位置することになるため、収納部の下面よりも上方にも光を出射することができる。
【００１１】
本発明の照明装置において、前記導光部材の前記入射端面と反対側の端面は、少なくとも一部が前記収納部の方向を向いていることを特徴としてもよい。こうすれば、入射端面から導光部材に入射した光の一部が、導光部材を通過して入射端面と反対側の端面から収納部の方向に照射されることになる。このため、収納部の外部だけでなく、収納部の内部にも光を照らすことができるため、収納部の利便性を向上させることができる。
【００１２】
本発明の照明装置において、前記第一平面部は、一方端側が前記一方主面側に湾曲していることを特徴としてもよい。こうすれば、入射端面と反対側の端面だけでなく、主面で出射された光も収納部の内部に導光することができるため、端面で出射された場合と比較して、より収納部の内部を明るくすることができ、収納部の利便性を向上させることができる。
【００１３】
本発明の照明装置において、複数の前記光源は、前記導光部材の両端面とそれぞれ対向する位置に配置されていることを特徴としてもよい。こうすれば、導光部材のいずれかの端面に対向する位置に光源が配置される場合と比較して、明るくすることができる。
【００１４】
本発明の照明装置において、前記光源は、平面発光型の発光ダイオードであることを特徴としてもよい。こうすることにより、白熱電球と比較して、光源の消費電力を低減することができるため、省電力に資する。また、光源の小型化が可能となるため、照明装置の全体の大きさも小型化することができ、狭いスペースであっても容易に取り付けることができる。
【図面の簡単な説明】
【００１５】
【図１】図１は、照明装置２０が棚１０の下部に取り付けられた状態を示す斜視図である。
【図２】図２は、本体部３０を構成する台部３２及び基部３９の斜視図である。
【図３】図３は、本体部３０及び導光部材４０の構成の概略を示す斜視図である。
【図４】図４は、本体部３０の断面を示すＡ−Ａ断面図である。
【図５】図５は、本体部３０に導光部材４０を取り付けた状態を示す断面図である。
【図６】図６は、他の実施の形態の照明装置２０の構成の概略を示す断面図である。
【図７】図７は、他の実施の形態の照明装置２０の構成の概略を示す断面図である。
【図８】図８は、他の実施の形態の導光部材１４０が取り付けられた照明装置２０の構成の概略を示す断面図である。
【図９】図９は、拡散ドット４９の他の実施の形態の一例を示す説明図である。
【発明を実施するための形態】
【００１６】
次に、上記簡単に説明した図面に基づいて、本発明の実施の形態の一例である照明装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されており、「前面方向」、「下方向」及び「後方向」は、図１に示すように、図１中の矢印のそれぞれの方向を意味し、拡散ドットとは、ドット状の凹部だけでなく、溝状の凹部も含む概念を意味する。また、説明の都合上、図１及び図３では、拡散ドット４９は省略し、図５〜図９では、実際よりも大きく、かつ、少数で示している。
【００１７】
照明装置２０は、図１〜図３に示すように、天井付近等上部に設けられた棚１０（本発明の収納部に相当）の下部に設置して使用され、棚１０の下部に取り付けられる本体部３０と、本体部３０に取り付けられる導光部材４０と、導光部材４０に光を照射する光源５０（図４参照）と、本体部３０から導光部材４０が脱落することを防止する側面部材６０と、を備えている。このため、光源５０から導光部材４０に光が照射されると、導光部材４０によって拡散及び出射され、棚１０の前面方向から下斜め後方向にかけて、幅広い範囲に光を照射することができる。
【００１８】
本体部３０は、図２に示すように、棚１０の下面側に固定される台部３２と、前面側から上方に突出する保護壁３３を有する基部３９とが、連結部材３１によって互いに着脱可能に取り付けられている。この連結部材３１は、先端部３１ａ（図４参照）が他の部分より太く形成されたビス形状の部材であり、棚１０の下面側から基部３９の上面側に到達するために十分な長さを有している。このため、台座３２を棚１０の下面側に固定する機能と、基部３９を台座３２に着脱可能に固定する機能の両方の機能を有する。
【００１９】
台座３２は、両端側が折り曲げられており、下面側が解放された略直方体形状の金属製の部材であり、図２に示すように、台座３２と基部３９とは、連結部材３１によって着脱可能に取り付けられる。
【００２０】
基部３９は、前面方向から後方に向かって下方側が滑らかに突出しつつ湾曲する金属製の部材であり、
上方に突出する保護壁３３が前面側に設けられ、連結部材３１を挿入可能なスライド孔３８が中央部に設けられ、前面方向に凹む凹部３４が後方側に設けられている。この保護壁３３の上端は、図５に示すように、本体部３０に導光部材４０が取り付けられた際に、導光部材４０の傾斜面４８ｂと略同一の位置に位置するため、第一平面部４２の一方主面側には保護壁３３が位置することになる。このため、取り付け時に第一平面部４２が破損する可能性を未然に低減することができる。また、スライド孔３８は、図２に示すように、一方端側は連結部材３１ａの先端部よりも広く形成され、他方端側は連結部材３１の先端部３１ａよりも狭く形成された貫通孔であり、他方端側が前面側となるように基部３９に設けられている。このため、スライド孔３８の一方端側に連結部材３１に挿入した後、基部３９を後方側にスライドして連結部材３１をスライド孔３８の他方端側に移動すると、連結部材３１はスライド孔３８から離脱できなくなり、基部３９を台部３２に固定することができる。
【００２１】
凹部３４は、図３に示すように、後方側から前面方向に向かって凹む凹部であり、凹部３４の一方側面３４ｂは水平となるように設けられている。この凹部３４は、底面３４ａには基板５２及び光源５０が、他方側面３４ｃには固定ビス３６が、それぞれ設けられている。更に、本体部３０の表面は鏡面となっており、導光部材４０から本体部３０の方向に光が照射された場合には、本体部３０の表面で反射し、再び導光部材４０に入射することになる。このため、本体部３０の表面が鏡面でない場合と比較して、より明るい。
【００２２】
導光部材４０は、図３及び図５に示すように、メタクリル樹脂製であって、他方主面方向が前面方向である第一平面部４２と、第一平面部４２の下方側から後方に湾曲する湾曲部４４と、他方主面方向が棚１０の下斜め後方向である第二平面部４６と、第二平面部４６の一端側から第一平面部４２の方向に湾曲して延出する延出部４８と、を備え、一方主面には、複数の拡散ドット４９が設けられている。こうすることにより、延出部４８の一端側である入射端面４８ａに光源５０から光が導入されると、導光部材４０の形状に沿って光が移動し、一方主面側に設けられた複数の拡散ドット４９によって拡散され、他方主面側に光を出射することができる。このため、前面側から下方側に至る広い範囲に光を照射することができる。このとき、第一平面部４２と第二平面部４６との間には湾曲部４４が備えられているため、第一平面部４２から第二平面部４６にかけては滑らかに湾曲した形状となる。こうすることにより、第一平面部４２と第二平面部４６とが鋭角形状である場合には、鋭角によって光が強く出射されることになるが、湾曲部４４を有しているため、鋭角（折れ曲がり位置）に沿って明るい光の線（グレア）が生じる可能性を未然に防止することができる。また、第一平面部４２と第二平面部４６とが湾曲部４４によって滑らかに湾曲してつながっているため、前面側から下方側に至る範囲に連続的に光を照射すると共に、鋭角の場合と比較して、柔らかい美観の光を照射することができる。なお、湾曲部４４の外面側は、Ｒ１０ｍｍ〜Ｒ１４ｍｍ程度であることが好ましく、Ｒ１２ｍｍであることがより好ましい。また、第二平面部４６と延出部４８との間の外面側は、Ｒ１４ｍｍ〜Ｒ１８ｍｍ程度であることが好ましく、Ｒ１６ｍｍであることがより好ましい。
【００２３】
また、図５に示すように、本体部３０の入射端面４８ａと反対側の端面には、棚１０に取り付けられた際に棚１０の方向（図５、右上方向）を向いた面である傾斜面４８ｂを有している。このため、光源５０から照射された光の一部が導光部材４０を通過した場合には、通過した光の一部が傾斜面４８ｂから棚１０の方向に照射されることになる。こうすることにより、棚１０を照らすことができるため、前面側から下方側に至る範囲だけでなく、棚１０の内部をも照らすことができるため、周囲が暗い場合等であっても、棚１０の利便性を向上させることができる。
【００２４】
更に、本体部３０が棚１０の下方に取り付けられた状態では、第一平面部４２の上部は、棚１０の下面よりも上方に位置することになるので、棚１０の下側に取り付けられている場合と比較して、より上位置から光を照射することができる。言い換えると、より遠方まで光を照射することができる。加えて、傾斜面４８ｂが棚１０の下面より上方に位置することになるため、傾斜面４８ｂが棚１０より低い位置にある場合と比較して、より棚１０の奥の方まで光を照射することができる。このとき、第一平面部４２の一方主面側（裏面側）には、本体部３０より突出した保護壁３３が位置しているため、第一平面部４２が破損する可能性を未然に防止することができる。
【００２５】
拡散ドット４９は、図５に示すように、導光部材４０の一方主面側に複数設けられた四角錐形状に凹む凹部（図９Ａ参照）であり、拡散ドット４９の各辺の長さが約０．６ｍｍ、深さが約０．４ｍｍであり、隣り合う四角錐型の拡散ドット４９間のピッチが２．０ｍｍに形成されている。このように拡散ドット４９は、四角錐底面に相当する位置が一方主面側（導光部材４０の裏面側であって、本体部３０と対向する面側）に設けられている。こうすることにより、導光部材４０の他方主面側（表面側）がホコリ等で汚れた場合であっても、他方主面側には拡散ドット４９が設けられていないため、容易に汚れを除去することができ、維持・管理に必要な労力を低減することができる。また、この拡散ドット４９を形成する四角錐底面の各頂点を結ぶ各対角線は、導光部材４０の各辺とそれぞれ略平行となるように設けるとよい。このように形成すれば、入射端面３８ａから入射した光が拡散ドット４９の各辺と交差する関係になるため、入射した光を主面へ拡散させやすくなる。
【００２６】
この拡散ドット４９を形成する際には、先端面に拡散ドット４９を反転させた形状を有する加工ドットが縦横に複数マトリックス状に配置されている超音波加工ホーンを導光部材４０に対して垂直に押圧することで、加工ドットの形状が反映された形状の四角錐形の拡散ドット４９を形成することができる。
【００２７】
光源５０は、図４に示すように、平面発光型の白色の発光ダイオードであり、底面３４ａに配置された基板５２に直線状に複数配置されている。平面発光型の発光ダイオードを光源５０として用いることにより、白熱電球等を使用する場合と比較して、光源５０を配置するために必要なスペースを低減することができ、小型化を可能にすると共に、導光部材４０に直進性の高い光を照射することができる。この光源５０の正面方向には、図５に示すように、導光部材４０の入射端面４８ａが位置することになるため、入射端面４８ａに直進性の高い光を十分に照射することができる。また、光源５０が発光する際に生じた熱は、基板５２を介して底面３４ａに伝わり、本体部３０全体に伝わることになる。このとき、本体部３０は金属製の部材であるため、光源５０で発生した熱を効率的に光源５０から逃すことができる。こうすることにより、光源５０から発生した熱で光源５０の不具合が発生する可能性を未然に低減することができる。
【００２８】
側面部材６０は、図３に示すように、本体部３０の側面及び導光部材４０の側面の少なくとも一部を覆う金属製の部材であり、本体部３０の側面に設けられたビス止め部に図示しないビスで固定される。このとき、本体部３０の側面と側面部材６０とは当接した状態で固定されているため、光源５０の使用により発生した熱は、基板５２及び本体部３０を介して側面部材６０に伝わり、側面部材６０から外部へ放出される。こうすることにより、光源５０で発生した熱により光源５０が誤作動したり、故障したりする可能性を未然に低減することができる。なお、側面部材６０は、棚１０の側面の一部を同時に覆うものであってもよいし、棚１０の側面部にビス等で固定されていても良い。こうすれば、照明装置２０と棚１０とをより強固に固定することができる。
【００２９】
次に、照明装置２０を棚１０に取り付ける取り付け方法について、詳しく説明する。照明装置２０を棚１０に取り付ける際には、まず棚１０の下部に台部３２を取り付け、次に導光部材４０を基部３９に取り付けた後、基部３９を台部３２に取り付ける。
【００３０】
まず、棚１０の下部に台部３２を取り付ける。具体的には、台部３２に設けられた複数の取り付け孔３２ａ（図２参照）を用いて、棚１０の下部に連結部材３１を用いて台部３２を固定する。このとき、連結部材３１の先端部３１ａ側には、台部３２の高さ分だけ余裕を残しておく。この連結部材３１の先端部３１ａ側をスライド孔３８に挿入して台部３２と基部３９とを固定することにより、連結部材３１を用いて台部３２と棚１０、台部３２と基部３９の両方を固定することができる。このように、台部３２のみを棚１０にあらかじめ固定することにより、導光部材４０等が固定された状態で照明装置２０を棚１０に固定する場合と比較して、より固定しやすい。特に、棚１０の下部のように、下方側から取り付ける場合には、台部３２のみにして重量を軽くすることによる作業労力低減の効果が大きい。
【００３１】
次に、導光部材４０を基部３９に固定する。具体的には、図３中の矢印で示すように、本体部３０に設けられた凹部３４に本体部３０の側面側から導光部材４０に設けられた延出部４８を挿入してスライドし、所望の位置に位置決めする。続いて、導光部材４０を所望の位置に位置決めした後に、図５に示すように、固定ビス３６で導光部材４０を凹部３４に固定する。この固定ビス３６は、延出部４８に設けられた貫通孔を貫通して導光部材４０を固定するため、導光部材４０が凹部３４から脱落する可能性を未然に低減することができる。このとき、延出部４８に設けられた貫通孔は、固定ビス３６の径よりも広く形成されている。こうすることにより、外気温の影響で導光部材４０が縮んだ場合であっても、固定ビス３６で取り付けることができなくなる可能性を未然に低減することができる。
【００３２】
続いて、基部３９を台部３２に固定する。具体的には、図２に示すように、台部３２に取り付けられた連結部材３１を基部３９に設けられたスライド孔３８に挿入した状態で前面方向側から後方側（図４左側から図４右側）に基部３９をスライドし、台部３２が基部３９に固定する。こうすることにより、保護壁３３の外面と棚１０の外面との間に生じる隙間を小さくすることができ、収納物等が棚１０から本体部３０に落下する可能性を未然に低減することができる。このように、本体部３０の一部である台部３２をあらかじめ棚１０の下面側に固定することにより、所望の位置に容易に照明装置２０を固定することができる。
【００３３】
以上詳述した本実施の形態の照明装置２０によれば、入射端面４８ａから入射された光が主に導光部材４０に設けられた複数の拡散ドット４９で拡散されることにより、光が第一平面部４２、湾曲部４４及び第二平面部４６から出射されることになり、前面側から下方側、下斜め後方側に至る広い範囲に光を出射することができる。こうすることにより、後方に壁面を有する場所に配置した場合には、前面側への直接照明としての役割と後方の壁面等に反射した光による間接照明としての役割との両方の役割を一つの照明装置で果たすことができる。このとき、湾曲部４４によって第一平面部４２と第二平面部４６とが滑らかに連接されているため、連続的に柔らかな印象を有する光を照射することができ、優れた美観を与えることができる。また、第一平面部４２と第二平面部４６との間でグレアが発生する可能性を未然に低減することができる。
【００３４】
また、導光部材４０は後方から第一平面部４２の方向に湾曲して延出する延出部４８有し、この延出部４８が本体部３０に設けられた凹部３４の一方側面３４ｂの上に配置することによって本体部３０に取り付けられるため、導光部材４０を容易に取り付けることができる。このとき、延出部４８は固定ビス３６によって固定されるため、導光部材４０が本体部３０から脱落する可能性を未然に低減している。
【００３５】
更に、第一平面部４２の上端面は棚１０の下面よりも上方に位置しているため、棚１０の下側のみに位置する場合と比較して、より高い位置を照らすことができる。言い換えると、より広範囲に光を照射することができる。
【００３６】
更にまた、入射端面４８ａと反対側の端面４８ｂは、端面４８ｂの一部が棚１０の方向を向いていることになり、入射端面４８ａから入射した光の一部を棚１０の方向に光を照射することができる。言い換えると、上方向だけで無く、棚１０の内側方向にも光を照射することができるため、より広範囲に光を照射し、棚１０の利便性を向上することができる。
【００３７】
そして、光源５０は、平面発光型の発光ダイオードであるため、白熱電球と比較して、消費電力を低減し省電力に資する。また、小型化することが可能となるため、照明装置２０を小型化し、棚１０の下側のスペースが狭い場合であっても、照明装置２０を取り付けることができる。
【００３８】
なお、本発明は上述した実施形態に何ら限定されることはなく、本発明の技術的範囲に属する限り種々の態様で実施し得ることはいうまでもない。
【００３９】
例えば、上述した実施の形態では、光源５０は凹部３４の底面に設けるものとしたが、図６に示すように、導光部材４０の反対側の端面に対向する位置に設けるものとしてもよい。こうすることにより、光源５０を第一平面部４２に近づけることができるため、前面方向をより明るく照らすことができる。このとき、光源５０は、図６に示すように、コの字形状の部材によって固定されていても良い。こうすれば、導光部材４０の両主面側に光が出射されることがない。こうすることにより、光源５０からの光が直接出射され、導光部材４０で拡散されることなく強い光が出射される可能性を未然に低減することができる。また、光源５０は、導光部材４０の端面に対向する位置と凹部３４の底面との両方の位置に設けるものとしてもよい。こうすれば、前面側だけでなく、下斜め後方側も同時に明るくすることができる。また、凹部３４は、導光部材４０を固定可能であればこの形状に限定されるものではなく、例えば、Ｃ型鋼のように一部が凹んだ形状の部材が別途設けられていてもよい。なお、ここで図６は、照明装置２０の他の実施の形態の一例を示す断面図である。
【００４０】
上述した実施の形態では、傾斜面４８ｂが棚１０の方向を向いているものとしたが、図７に示すように、入射端面４８ａと反対側の端面が他方主面側に湾曲していても良い。こうすれば、傾斜面４８ｂによって棚１０の内側を照らす場合と比較して、より棚１０の中を明るく照らすことができ、棚１０の利便性をより向上させることができる。
【００４１】
上述した実施の形態では、導光部材４０を用いるものとしたが、図８に示すように、導光部材４０に代えて、導光部材１４０を用いても良い。この場合も上述した実施の形態と同様の効果を得ることができる。なお、導光部材１４０は、導光部材４０と比較すると、湾曲部４４の湾曲角度が大きく、第二平面部４６の他方主面側が下方向側を向いている。こうすることにより、導光部材４０と比較して下方向に照射される光を増やすことができる。言い換えると、湾曲部４４の湾曲角度を変化させることで、光が多く照射される位置を変更し、所望の美観を与えることができる。
【００４２】
上述した実施の形態では、光源５０は、平面発光型の白色の発光ダイオードとしたが、平面発光型に限定されるものでなく、側面発光型、砲弾型等いずれのタイプであってもよい。また、光源５０の光の色は、白色に限定するものではなく、例えば、赤色、橙色、黄色、緑色、青色、藍色又は紫色のいずれかの色若しくはそれらの色の組み合わせ等であってもよい。更に、光源５０として白色の発光ダイオードを使用し、光源５０と導光部材４０との間に、透明カラーフィルム等の有色透明のフィルム又はシートを配して有色の光としてもよい。いずれの場合であっても、上述した実施の形態と同様の効果が得られる。
【００４３】
上述した実施の形態では、導光部材４０は、メタクリル樹脂製であるものとしたが、光が内部を通過可能な透明な樹脂であれば特に限定されるものではなく、例えば、メチルメタクリレートやエチルメタクリレート等のメタクリル樹脂の他、メチルアクリレート、エチルアクリレート等のアクリル製樹脂、ポリカーボネート、ポリエチレン等の樹脂を使用することができる。また、可視光を拡散可能な微粒子状の拡散剤を添加してもよい。いずれの場合も、上述した実施の形態と同様の効果を得ることができる。
【００４４】
上述した実施の形態では、凹部３４は水平方向に開口するものとしたが、開口方向は水平方向に限定されるものではなく、水平方向よりも上方向に開口が向いていても良い。こうすれば、凹部３４に延出部４８を挿入した際、自重により底面３４ａの方向に移動することになるので、挿入した後に延出部４８が脱落し、本体部３０から導光部材４０が離脱する可能性を未然に低減することができる。
【００４５】
上述した実施の形態では、本体部３０の表面は鏡面とであるものとしたが、白色の焼き付け処理を施しても良いし、反射シートを貼着してもよい。こうすることにより、上述した実施の形態と同様の効果を得ることができる。
【００４６】
上述した実施の形態では、拡散ドット４９は、四角錐形状の凹部であり、拡散ドット４９の各辺の長さが約０．６ｍｍ、深さが約０．４ｍｍであり、隣り合う四角錐型の拡散ドット４９間のピッチが２．０ｍｍに形成されているものとしたが、これに限定されるものではなく、適宜好適なサイズを選択することができる。四角錐型の拡散ドット４９の各辺の長さは、例えば、０．２ｍｍ〜１．５ｍｍで選択してもよい。また、四角錐型の拡散ドット４９の深さは、例えば、０．４ｍｍ〜０．８ｍｍで選択してもよい。更に、隣り合う四角錐型の拡散ドット４９間のピッチは、例えば、１．５ｍｍ〜８．０ｍｍのピッチの間から適宜選択してもよいし、１．５ｍｍ〜３．０ｍｍであってもよい。いずれの場合であっても、上述した実施の形態と同様の効果を得ることができる。
【００４７】
上述した実施の形態では、拡散ドット４９は導光部材４０の一方主面側全体に設けられているものとしたが、一方主面側と他方主面側との主面の両側全体に設けられていてもよい。このような場合も、上述した実施の形態と同様の効果を得ることができる。また、拡散ドット４９は、導光部材４０の一方主面側全体ではなく、いずれか任意の部分にのみ設けられていてもよい。例えば、第一平面部４２、湾曲部４４及び第二平面部４６の一方主面側に設けられていてもよい。こうすれば、主面全体に拡散ドット４９を設ける場合と比較して、拡散ドット４９を形成する労力を低減することができる。また、拡散ドット４９の配置位置により特定の文字や模様等を表しても良い。こうすれば、照明装置から照射される光により、特定の意味やメッセージ性を持たせることができる。更に、拡散ドット４９が設けられる場所によって拡散ドットの各辺の長さや深さ、拡散ドット４９間のピッチを変更してもよい。例えば、第一平面部４２に配置された拡散ドット４９間のピッチを他の場所と比較してより短くすれば、第一平面部４２がより明るくなり、前面方向をより明るくすることができる。このように、拡散ドット４９の形状等を変化させることにより、正面方向を明るくしたり下方を明るくしたりと明るくなる位置を変化させたり、間接照明としての機能と直接照明としての機能を変化させたりと、所望の美観を演出することができる。
【００４８】
上述した実施の形態では、拡散ドット４９は四角錐形状の凹部であるものとしたが、拡散ドット２４として形成される拡散凹部の形状及び大きさは、特に限定するものではない。適宜様々な形状及び大きさの拡散凹部からなる拡散ドット２４を採用することができる。例えば、図９Ｂは、円錐側の拡散凹部からなる拡散ドット４９を示している。図９Ｃは、四角柱型の拡散凹部からなる拡散ドット４９を示している。図９Ｄは、四角錐台形の拡散凹部からなる拡散ドット４９を示している。図９Ｅは、半球型の拡散凹部からなる拡散ドット４９を示している。また作製方法としては、超音波加工、加熱加工、レーザー加工、切削加工等種々の加工方法を採用することができる。また、例えば、図９Ｆに示すように、凸状の膨らんだ拡散凸部であってもよい。拡散凸部は、クリーン印刷やシルク印刷等によって、盛り上がるように（凸状）主面に形成する。また、それぞれの拡散ドット４９の大きさは、同じであっても異なっていても良い。例えば、入射端面４８ａから遠ざかるにつれて、四角錐型の拡散ドット４９の各辺を徐々に長くしたり、四角錐型の拡散ドット４９の深さを徐々に深くしたりしても良い。こうすれば、光源５０から近く光が強い位置では拡散される光量が小さくなり、光源５０から遠ざかるにつれて拡散される光量が大きくなるため、主面から照射される光の光量を均一に近づけることができる。
【産業上の利用可能性】
【００４９】
上述した実施の形態で示すように、照明分野、特に、天井付近等の上部に設けられた棚の前面方から下方を照らす照明装置として利用することができる。
【符号の説明】
【００５０】
１０…棚、２０…照明装置、２４…拡散ドット、３０…本体部、３１…連結部材、
３１ａ…先端部、３２…台部、３２ａ…取り付け孔、３３…保護壁、３４…凹部、
３４ａ…底面、３４ｂ…一方側面、３４ｃ…他方側面、３６…固定ビス、
３８…スライド孔、３８ａ…入射端面、３９…基部、４０…導光部材、
４２…第一平面部、４４…湾曲部、４６…第二平面部、４８…延出部、
４８ａ…入射端面、４８ｂ…傾斜面、４９…拡散ドット、５０…光源、５２…基板、
６０…側面部材、１４０…導光部材。
【図１】
2014207168.tif 000003
【図２】
2014207168.tif 000004
【図３】
2014207168.tif 000005
【図４】
2014207168.tif 000006
【図５】
2014207168.tif 000007
【図６】
2014207168.tif 000008
【図７】
2014207168.tif 000009
【図８】
2014207168.tif 000010
【図９】
2014207168.tif 000011